(57)【特許請求の範囲】
【請求項１】
電子機器の背面側を覆う背面カバー部と、前記電子機器の前面側を覆う前面カバー部と、前記背面カバー部と前記前面カバー部との間を折り曲げ可能に接続する連接部とを有したカバー部材を備え、
前記背面カバー部と前記前面カバー部とを前記連接部を介して二つ折りに折り畳むことで内側に前記電子機器を収納する収納姿勢と、前記前面カバー部から前記電子機器を離間させて該電子機器を起立姿勢に保持するスタンド姿勢とに姿勢変化可能なカバースタンドであって、
前記前面カバー部の前記連接部側とは反対側の開放縁側に対して前縁部が折り曲げ可能に接続され、該前面カバー部の内側でキーボード装置を保持する基台と、
前記背面カバー部の内側に設けられ、下縁部に設けられた保持部によって前記電子機器の下縁部を保持した状態で該電子機器の背面を支持する支持板と、
前記基台の後縁部と前記支持板の下縁部との間を折り曲げ可能に接続するヒンジ部と、
を備え、
前記保持部は、前記電子機器の下縁部を収容支持するポケット形状であり、
前記ヒンジ部は、前記基台の後縁部と、前記支持板に設けられた前記保持部の前面を塞ぐプレートにおける該保持部の底部よりも上方にオフセットした位置との間を連結しており、
前記収納姿勢にある状態から前記ヒンジ部を折り曲げて前記電子機器を前記キーボード装置から離間する方向に起こすことにより、前記支持板の前記ヒンジ部側となる部分が前記背面カバー部から離間すると共に前記保持部の底部が前記キーボード装置側へと移動し、これにより、前記支持板と、前記背面カバー部と、前記前面カバー部及び前記連接部とが三角構造となって前記電子機器を起立姿勢に保持する前記スタンド姿勢に姿勢変化するものであり、
前記支持板における前記保持部の底部から前記ヒンジ部が連結される前記オフセットした位置までの距離が、前記基台及び前記キーボード装置の厚み寸法よりも大きいことを特徴とするカバースタンド。
【請求項２】
請求項１記載のカバースタンドにおいて、
前記背面カバー部は、前記支持板に固着される固定部と、
前記固定部と前記連接部との間に設けられ、前記支持板から前記ヒンジ部側となる部分から離間可能な可動部と、
前記固定部と前記可動部との境界部分に設けられ、前記固定部に対する前記可動部の折り曲げ線となる横方向の第１折り線と、
前記可動部に設けられ、前記第１折り線と平行する横方向の第２折り線とを有し、
前記第２折り線のみを折り曲げた状態での前記スタンド姿勢から前記第１折り線を折り曲げることで、前記スタンド姿勢での前記電子機器の起立角度を変更可能であることを特徴とするカバースタンド。
【請求項３】
電子機器の背面側を覆う背面カバー部と、前記電子機器の前面側を覆う前面カバー部と、前記背面カバー部と前記前面カバー部との間を折り曲げ可能に接続する連接部とを有したカバー部材を備え、
前記背面カバー部と前記前面カバー部とを前記連接部を介して二つ折りに折り畳むことで内側に前記電子機器を収納する収納姿勢と、前記前面カバー部から前記電子機器を離間させて該電子機器を起立姿勢に保持するスタンド姿勢とに姿勢変化可能なカバースタンドであって、
前記前面カバー部の前記連接部側とは反対側の開放縁側に対して前縁部が折り曲げ可能に接続され、該前面カバー部の内側でキーボード装置を保持する基台と、
前記背面カバー部の内側に設けられ、下縁部に設けられた保持部によって前記電子機器の下縁部を保持した状態で該電子機器の背面を支持する支持板と、
前記基台の後縁部と前記支持板の下縁部との間を折り曲げ可能に接続するヒンジ部と、
を備え、
前記連接部は、前記収納姿勢において前記支持板及び前記基台の後端面を厚み方向に覆う背表紙となる部分であり、
前記前面カバー部の内面における前記基台の後端面と前記連接部との間となる位置に付属部品が設けられており、
前記背面カバー部と前記連接部との間には、該背面カバー部及び該連接部に対して折り曲げ可能に設けられることで、前記収納姿勢において前記背面カバー部と面一に並んで配置されて前記付属部品の上方を覆う一方、前記スタンド姿勢において前記前面カバー部及び前記連接部と共に前記電子機器を前記起立姿勢に保持するための底面板となる連接カバー部が設けられており、
前記収納姿勢にある状態から前記ヒンジ部を折り曲げて前記電子機器を前記キーボード装置から離間する方向に起こすことにより、前記前面カバー部の後方に配置された前記連接部の後方に前記連接カバー部が配置された前記底面板が形成され、これにより、前記支持板と、前記背面カバー部と、前記底面板とが三角構造となって前記電子機器を起立姿勢に保持する前記スタンド姿勢に姿勢変化することを特徴とするカバースタンド。
【請求項４】
請求項３記載のカバースタンドにおいて、
前記付属部品として、前記キーボード装置の電源となるバッテリ装置を設けたことを特徴とするカバースタンド。
【請求項５】
請求項３又は４記載のカバースタンドにおいて、
前記付属部品として、ペン型入力装置を保持するホルダを設けたことを特徴とするカバースタンド。
【請求項６】
請求項３記載のカバースタンドにおいて、
前記連接カバー部の内面から突出し、前記収納姿勢において前記付属部品の後側面と当接する突出片を設けたことを特徴とするカバースタンド。
【請求項７】
請求項１〜６のいずれか１項に記載のカバースタンドにおいて、
前記前面カバー部の開放縁側の内面であって前記基台の前方となる位置に、前記キーボード装置の入力操作時に手を支持するためのパームレストを設けたことを特徴とするカバースタンド。
【請求項８】
請求項１〜７のいずれか１項に記載のカバースタンドと、タッチ操作可能なディスプレイを備えたタブレット型のパーソナルコンピュータである前記電子機器とを備えることを特徴とするカバースタンド付き電子機器。
【発明の詳細な説明】
【技術分野】
【０００１】
本発明は、電子機器を収納した収納姿勢と、電子機器を起立姿勢に保持したスタンド姿勢とに姿勢変化可能なカバースタンド及び該カバースタンドと電子機器とを備えるカバースタンド付き電子機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、一般に手で把持した状態で操作する場合と、机や膝の上に置いた状態で操作する場合とがあり、特に机や膝の上に置いた状態で操作する場合にはスタンドを利用して立てた状態で使用されることもある。また、タブレット型ＰＣの持ち運び時に傷つきや破損を避けるため、二つ折りした内側にタブレット型ＰＣを収納できるカバー部材も利用されている。
【０００３】
本出願人は特許文献１において、折り畳んだ状態では電子機器をカバー部材の内側に収納して持ち運ぶことができる収納姿勢と、電子機器を立たせたスタンド姿勢とに姿勢変化可能なカバースタンドを提案している。
【先行技術文献】
【特許文献】
【０００４】
【特許文献１】特開２０１３−０２５４２０号公報
【発明の概要】
【発明が解決しようとする課題】
【０００５】
上記特許文献１記載の構成では、電子機器を保持した支持板の下縁部の角をキーボードが設けられた基台の上面に形成された溝に引っ掛け、さらに互いを磁石によって吸着させる。これにより、電子機器を背面から支持する三角構造が構築され、電子機器を安定した起立姿勢に保持することができる。
【０００６】
ところがこの構成では、カバースタンドを収納姿勢からスタンド姿勢に姿勢変化させる際、使用者は電子機器を開き方向に持ち上げた後、電子機器を支持している支持板の下縁部を持ち上げてこれを基台の上面に係止させる必要がある。つまり、使用者は、電子機器の開き操作と、電子機器の下縁部を一旦持ち上げてから係止させる操作とを行う必要があり、この操作回数の低減が望まれている。
【０００７】
本発明は、上記従来技術の課題を考慮してなされたものであり、電子機器を内側に収納する収納姿勢と、電子機器を立たせたスタンド姿勢との間の姿勢変化を容易に行うことができ、高い利便性を得ることができるカバースタンド及び該カバースタンドと電子機器とを備えるカバースタンド付き電子機器を提供することを目的とする。
【課題を解決するための手段】
【０００８】
本発明に係るカバースタンドは、電子機器の背面側を覆う背面カバー部と、前記電子機器の前面側を覆う前面カバー部と、前記背面カバー部と前記前面カバー部との間を折り曲げ可能に接続する連接部とを有したカバー部材を備え、前記背面カバー部と前記前面カバー部とを前記連接部を介して二つ折りに折り畳むことで内側に前記電子機器を収納する収納姿勢と、前記前面カバー部から前記電子機器を離間させて該電子機器を起立姿勢に保持するスタンド姿勢とに姿勢変化可能なカバースタンドであって、前記前面カバー部の前記連接部側とは反対側の開放縁側に対して前縁部が折り曲げ可能に接続され、該前面カバー部の内側でキーボード装置を保持する基台と、前記背面カバー部の内側に設けられ、下縁部に設けられた保持部によって前記電子機器の下縁部を保持した状態で該電子機器の背面を支持する支持板と、前記基台の後縁部と前記支持板の下縁部との間を折り曲げ可能に接続するヒンジ部とを備えることを特徴とする。
【０００９】
また、本発明に係るカバースタンド付き電子機器は、上記構成のカバースタンドと、タッチ操作可能なディスプレイを備えたタブレット型のパーソナルコンピュータである前記電子機器とを備えることを特徴とする。
【００１０】
このような構成によれば、カバー部材が二つ折りに折り畳まれて内側に電子機器が収納された収納姿勢からスタンド姿勢に姿勢変化させる際には、支持板を介して電子機器の背面を保持した背面カバー部を持ち上げて開き操作する。そうすると、ヒンジ部を介して支持板及び電子機器が開き動作して、支持板と背面カバー部と前面カバー部及び連接部とによる三角構造が構築されたスタンド姿勢に姿勢変化する。従って、使用者は電子機器を開き操作するだけの１アクションで収納姿勢にある当該カバースタンドをスタンド姿勢に容易に変化させることができる。このため、例えば収納姿勢にあるカバースタンドを膝の上に載せたままで容易にスタンド姿勢に変化させることができ、高い利便性が得られる。
【００１１】
前記ヒンジ部は、前記基台の後縁部と、前記支持板の前記保持部の底部よりも上方にオフセットした位置との間を連結しており、前記収納姿勢にある状態から前記ヒンジ部を折り曲げて前記電子機器を前記キーボード装置から離間する方向に起こすことにより、前記支持板の前記ヒンジ部側となる部分が前記背面カバー部から離間すると共に前記保持部の底部が前記キーボード装置側へと移動し、これにより、前記支持板と、前記背面カバー部と、前記前面カバー部及び前記連接部とが三角構造となって前記電子機器を起立姿勢に保持する前記スタンド姿勢に姿勢変化する構成であるとよい。これにより、収納姿勢からスタンド姿勢に姿勢変化させる際に電子機器を開き操作すると、ヒンジ部を介して電子機器が開き動作し、同時にヒンジ部の連結点となる位置よりも下側にある支持板の下縁部が前方に移動する。その結果、連接部が後方へと滑らかに移動するため、支持板と背面カバー部と前面カバー部及び連接部とによる三角構造がより確実に構築される。
【００１２】
前記支持板における前記保持部の底部から前記ヒンジ部が連結される前記オフセットした位置までの距離が、前記基台及び前記キーボード装置の厚み寸法よりも大きく設定されるとよい。そうすると、電子機器の開き操作時に保持部の底部がキーボード装置側へと移動する際、前面カバー部の上面に摺接する支持板の下縁部によってヒンジ部が押し上げられ、基台と共にキーボード装置の後端側がせり上がる。その結果、スタンド姿勢でキーボード装置が前傾姿勢となるため、キーボード装置の操作性が向上する。
【００１３】
前記背面カバー部は、前記支持板に固着される固定部と、前記固定部と前記連接部との間に設けられ、前記支持板から前記ヒンジ部側となる部分から離間可能な可動部と、前記固定部と前記可動部との境界部分に設けられ、前記固定部に対する前記可動部の折り曲げ線となる横方向の第１折り線と、前記可動部に設けられ、前記第１折り線と平行する横方向の第２折り線とを有し、前記第２折り線のみを折り曲げた状態での前記スタンド姿勢から前記第１折り線を折り曲げることで、前記スタンド姿勢での前記電子機器の起立角度を変更可能な構成であるとよい。そうすると、使用者は、例えば所定の起立角度のスタンド姿勢から、例えば両手の人差し指を利用して第１折り線を折り曲げて可動部の上部を折り畳むだけで、より後傾となった起立角度のスタンド姿勢に変化させることができる。このため、この角度変化も１アクションで行うことができ、例えば膝の上で当該カバースタンドを使用している際、その使用に最適な角度位置に容易に変更でき、利便性が一層向上する。
【００１４】
前記連接部は、前記収納姿勢において前記支持板及び前記基台の後端面を厚み方向に覆う背表紙となる部分であり、前記前面カバー部の内面における前記基台の後端面と前記連接部との間となる位置に付属部品が設けられていてもよい。これにより、基台と連接部との間のデッドスペースを付属部品の設置に有効に利用できる。
【００１５】
前記付属部品として、前記キーボード装置の電源となるバッテリ装置を設けてもよい。また、前記付属部品として、ペン型入力装置を保持するホルダを設けてもよい。
【００１６】
前記背面カバー部と前記連接部との間には、該背面カバー部及び該連接部に対して折り曲げ可能に設けられ、前記収納姿勢において前記背面カバー部と面一に並んで配置されることで前記付属部品の上方を覆う連接カバー部が設けられた構成としてもよい。そうすると、カバースタンドをスタンド姿勢に変化させた際に連接部の後方に突出するように並んで連接カバー部が配置されるため、スタンド姿勢での安定性が向上する。
【００１７】
前記連接カバー部の内面から突出し、前記収納姿勢において前記付属部品の後側面と当接する突出片を設けてもよい。そうすると、スタンド姿勢にあるカバースタンドを収納姿勢に閉じた際、突出片がその手前側にある付属部品の側面に当接して前方向に転倒する方向の力を受けて連接カバー部を下方に引き寄せる。その結果、連接カバー部の折り曲げ線が下側に引き寄せられるため、この折り曲げ線の付近が上方に山状に突出することが阻止され、収納姿勢での外観が向上する。
【００１８】
前記前面カバー部の開放縁側の内面であって前記基台の前方となる位置に、前記キーボード装置の入力操作時に手を支持するためのパームレストを設けると、キーボード装置の操作性が一層向上する。
【発明の効果】
【００１９】
本発明によれば、電子機器の背面を保持した背面カバー部を持ち上げて開き操作する１アクションで電子機器を収納した収納姿勢からスタンド姿勢に姿勢変化させることができる。このため、例えば収納姿勢にあるカバースタンドを膝の上に載せたままで容易にスタンド姿勢に変化させることができ、高い利便性が得られる。
【図面の簡単な説明】
【００２０】
【図１】図１は、本発明の一実施形態に係るカバースタンドを用いてタブレット型ＰＣを起立姿勢とした状態を示す斜視図である。
【図２】図２は、図１に示すカバースタンドからタブレット型ＰＣを外した状態を示す斜視図である。
【図３】図３は、図１に示す状態よりもタブレット型ＰＣの起立姿勢を後傾にした状態を示す斜視図である。
【図４】図４は、カバースタンドを折り畳み、タブレット型ＰＣを内側に収納した状態を示す側面図である。
【図５】図５は、図４に示す収納姿勢から背面カバー部を開き操作し、カバースタンドをスタンド姿勢へと姿勢変化させている状態を示す側面図である。
【図６】図６は、図５に示す状態から背面カバー部をさらに開き、カバースタンドをスタンド姿勢とした状態を示す側面図である。
【図７】図７は、図６に示す状態から背面カバー部の第１折り線を折り曲げ、図６に示す状態よりも起立角度を後傾にしたスタンド姿勢での状態を示す側面図である。
【発明を実施するための形態】
【００２１】
以下、本発明に係るカバースタンド及びカバースタンド付き電子機器について好適な実施の形態を挙げ、添付の図面を参照しながら詳細に説明する。
【００２２】
図１は、本発明の一実施形態に係るカバースタンド１０を用いてタブレット型ＰＣ１２を起立姿勢とした状態を示す斜視図であり、図２は、図１に示すカバースタンド１０からタブレット型ＰＣ１２を外した状態を示す斜視図である。また、図３は、図１に示す状態よりもタブレット型ＰＣ１２の起立姿勢を後傾にした状態を示す斜視図であり、図４は、カバースタンド１０を折り畳み、タブレット型ＰＣ１２を内側に収納した状態を示す側面図である。
【００２３】
本実施形態に係るカバースタンド１０は、タブレット型ＰＣ１２等の電子機器を机の上や椅子に座った使用者の膝の上等の設置面上で複数の傾斜角度で立てることができるスタンドとしての機能と、タブレット型ＰＣ１２を収納して持ち運ぶためのカバーケースとしての機能とを備える。カバースタンド１０の使用対象としては、タブレット型ＰＣ１２以外の電子機器、例えば携帯電話、スマートフォン、又は電子手帳等も挙げられる。
【００２４】
タブレット型ＰＣ１２は、タッチパネル式の液晶表示部からなるディスプレイ１２ａを備える。タブレット型ＰＣ１２は、その内部に基板、演算装置及びメモリ等の各種電子部品（図示せず）を収納したものであり、一般に公知のものを使用可能である。
【００２５】
図１〜図４に示すように、カバースタンド１０は、図４に示す収納姿勢でタブレット型ＰＣ１２を内側に収納するように二つ折りに折り畳まれるカバー部材１４と、カバー部材１４の内側に設けられた基台１６及び支持板１８とを備える。
【００２６】
以下、図１に示すようにタブレット型ＰＣ１２を起立姿勢に保持したスタンド姿勢での使用形態を基準とし、タブレット型ＰＣ１２を使用する使用者から見た方向で、手前側を前側（前方）、奥側を後側（後方）と呼び、タブレット型ＰＣ１２の起立方向を上下方向、幅方向を左右方向と呼んで説明する。
【００２７】
先ず、カバー部材１４は、当該カバースタンド１０の外表面を形成するものであり、タブレット型ＰＣ１２の背面側を覆う背面カバー部２０と、図４に示す収納形態でタブレット型ＰＣ１２の前面側を覆う前面カバー部２２と、背面カバー部２０と前面カバー部２２との間を折り曲げ可能に接続する連接部２４とを有する。
【００２８】
前面カバー部２２は、タブレット型ＰＣ１２の前面を覆うことができる薄板状のカバーであり、平面視で収納するタブレット型ＰＣ１２よりも前後方向に多少長い外形を有した矩形形状となっている（図４参照）。前面カバー部２２は、その内面に薄板状の底板２６が固着された２重構造となっている。前面カバー部２２は、カバースタンド１０を用いてタブレット型ＰＣ１２を使用する場合に、机や膝の上等に載置される底面板となる。底板２６の前端側にはパームレスト２７が設けられている。
【００２９】
連接部２４は、タブレット型ＰＣ１２を内側にして背面カバー部２０と前面カバー部２２とを二つ折りに折り畳んだ場合に、基台１６及び支持板１８の後端面を厚み方向に覆う背表紙となってタブレット型ＰＣ１２の端面を覆う部分である（図４参照）。従って、連接部２４はタブレット型ＰＣ１２、基台１６及びその上に設けられたキーボード装置２８の合計厚み以上の幅を有する。連接部２４は、前面カバー部２２との間に左右横方向に延在する折り曲げ線Ａ１が形成され、背面カバー部２０との間に左右横方向に延在する折り曲げ線Ａ２が形成されている。
【００３０】
背面カバー部２０は、タブレット型ＰＣ１２の背面を覆うことができる薄板状のカバーであり、平面視で収納するタブレット型ＰＣ１２と略同一の外形を有した矩形形状となっている（図４参照）。図４に示すように、タブレット型ＰＣ１２を内側にして背面カバー部２０と前面カバー部２２とを連接部２４を介して二つ折りに折り畳むと、背面カバー部２０はタブレット型ＰＣ１２及びキーボード装置２８を挟んで前面カバー部２２と重なるように配置される。
【００３１】
背面カバー部２０は、支持板１８の背面に固着された略上半分の領域である固定部２０ａと、固定部２０ａと連接部２４との間に設けられた略下半分の領域であって支持板１８から離間可能な可動部２０ｂとを有する。
【００３２】
固定部２０ａと可動部２０ｂとの境界部分には、第１折り線Ｂ１が左右横方向に延在するように形成されている。可動部２０ｂの第１折り線Ｂ１寄りの位置には、第１折り線Ｂ１と平行する第２折り線Ｂ２が左右横方向に延在するように形成されている。第１折り線Ｂ１は、固定部２０ａに対する可動部２０ｂの折り曲げ線となるものである（図３参照）。第２折り線Ｂ２は、第１折り線Ｂ１を折り曲げない場合に、実質的に固定部２０ａに対する可動部２０ｂの折り曲げ線として機能するものである（図１参照）。つまり、第１折り線Ｂ１を折り曲げない場合、可動部２０ｂの第１折り線Ｂ１と第２折り線Ｂ２との間の帯状部分は、実質的に固定部２０ａの一部（延長部分）として支持板１８の背面に密着する。
【００３３】
本実施形態の場合、背面カバー部２０と連接部２４との間には、両者間を折り曲げ可能に接続する連接カバー部３０を設けている。連接カバー部３０は、背面カバー部２０及び連接部２４に対して折り曲げ線Ａ３及び折り曲げ線Ａ２を介して折り曲げ可能に接続されている。連接カバー部３０は、図４に示す収納姿勢において背面カバー部２０と面一となるように並んで配置されることで、実質的に背面カバー部２０の一部（延長部分）として底板２６の後端部内面に配設された付属部品の上方を覆うものである。
【００３４】
この付属部品として、本実施形態では底板２６の後端側内面に左右方向に並ぶようにバッテリ装置３１及びホルダ３２を設けている。バッテリ装置３１は、底板２６の後端側内面の左端に寄った位置に配置され、左右横方向に延びた円柱形状に構成されたキーボード装置２８用のバッテリである。バッテリ装置３１の側端面にはキーボード装置２８の起動用の電源ボタン３１ａが設けられている（図４参照）。ホルダ３２は、タブレット型ＰＣ１２のディスプレイ１２ａをタッチ操作するための図示しないスタイラスペン（ペン型入力装置）を装着しておくことのできるフックである。
【００３５】
連接カバー部３０の内面には、断面Ｌ字状の押圧部品３４が固着されている。押圧部品３４は、連接カバー部３０の内面に固着される帯板状の固着板３４ａと、固着板３４ａの連接部２４寄りの端部（前端部）から直交するように内側に突出した突出片３４ｂとを有する。
【００３６】
このようなカバー部材１４は、前面カバー部２２から連接部２４及び連接カバー部３０を経て背面カバー部２０まで一体的に延在形成されることで当該カバースタンド１０の外表面を形成する。カバー部材１４の材質としては、例えばガラスエポキシ樹脂やポリカーボネイト、カーボン等からなる薄い平板を芯材とし、その周囲を皮革や人工皮革、布等で囲繞したものを用いるとよい。また、前面カバー部２２の底板２６には、剛性の高い樹脂材料や金属材料の板状部材を用いるとよい。
【００３７】
なお、連接カバー部３０を省略し、その分だけ前面カバー部２２の前後寸法を縮小することもできる。但し、連接カバー部３０は、図２に示すようにカバースタンド１０をスタンド姿勢に変化させた際に連接部２４の後方に突出するように並んで背面カバー部２０を支持する部分であり、スタンド姿勢での安定性や付属部品の収納効率を考慮すると設けた方が好ましい。
【００３８】
次に、基台１６は、前面カバー部２２の底板２６上に回動可能に支持されており、キーボード装置２８を収納保持した矩形の板状部材である。基台１６は、その前縁部が前面カバー部２２の開放縁側（前端側）であってパームレスト２７の後端面に近接する位置に対し、左右横方向に延在した回動軸線Ｃ１を介して折り曲げ可能に接続されている。回動軸線Ｃ１は、例えば薄い樹脂板や布地や皮革等からなる可撓性ヒンジによって形成される。基台１６及び支持板１８には、樹脂材料や金属材料の板状部材を用いるとよい。
【００３９】
キーボード装置２８は、無線又は有線によりタブレット型ＰＣ１２と接続され、バッテリ装置３１から電力供給されることでタブレット型ＰＣ１２を操作するためのキーボードとして利用できる。
【００４０】
支持板１８は、背面カバー部２０の内側に設けられ、その下端部に設けた保持部３６によってタブレット型ＰＣ１２の下縁部を保持した状態で該タブレット型ＰＣ１２の背面を支持するものである。図２に示すように、支持板１８は、タブレット型ＰＣ１２の外形と略同一の内形を有する有底枠状部材であり、下縁部に設けられたポケット状の保持部３６と、四隅に設けられたフック３８とによってタブレット型ＰＣ１２を収容保持することができる。左右の上隅部のフック３８に代えてゴムバンドや上下方向に開口してタブレット型ＰＣ１２を挿脱可能なポケット等を用いてもよい。
【００４１】
上記の通り、支持板１８の略上半分の領域には背面カバー部２０の固定部２０ａが固着される一方、可動部２０ｂに対応する略下半分の領域には背面カバー部２０が固着されていない。従って、背面カバー部２０を第１折り線Ｂ１又は第２折り線Ｂ２で折り曲げると、支持板１８の下縁部側が背面カバー部２０の可動部２０ｂから離間する（図１及び図３参照）。
【００４２】
このような基台１６の後端部と支持板１８の下縁部との間は、例えば薄い樹脂板や布地や皮革等からなる可撓性ヒンジ（ヒンジ部）４０によって折り曲げ可能に接続されている。可撓性ヒンジ４０は、基台１６の後端から後方に向かって突出した後方支持板１６ａの後端面と、支持板１８の保持部３６の底部３６ａよりも上方にオフセットした位置（以下、「オフセット位置Ｐ」と呼ぶ）との間を連結するものである。可撓性ヒンジ４０に代えて、蝶番等の一般的なヒンジを用いてもよい。
【００４３】
本実施形態の場合、支持板１８の下縁部の前面開口を左右方向に延在するプレート３６ｂによって塞ぐことでポケット状の保持部３６を形成しており、プレート３６ｂの前面に重ねるように左右方向に延在するプレート３６ｃを設け、このプレート３６ｃの上端部に可撓性ヒンジ４０を接続している。つまり可撓性ヒンジ４０は、基台１６の後方支持板１６ａの後端部と、保持部３６の前壁となるプレート３６ｃの上端部との間を連結している。
【００４４】
ここで、支持板１８における保持部３６の底部３６ａから可撓性ヒンジ４０が連結されるオフセット位置Ｐとの間の距離ｈ、つまりプレート３６ｃの高さ寸法ｈは、基台１６及びキーボード装置２８の厚み寸法ｔよりも大きく設定されている（図４参照）。
【００４５】
次に、以上のように構成されるカバースタンド１０を図４に示す収納姿勢から図６及び図７に示す起立姿勢へと姿勢変化させる方法を説明する。
【００４６】
先ず、カバースタンド１０は、図４に示す収納姿勢では、保持部３６及びフック３８によって支持板１８の内面にタブレット型ＰＣ１２が保持された状態で背面カバー部２０及び前面カバー部２２が折り曲げ線Ａ１，Ａ２を介して二つ折りに折り畳まれている。これにより、タブレット型ＰＣ１２は、その一端面が連接部２４によって覆われ、背面が背面カバー部２０によって覆われ、前面がキーボード装置２８を挟んで前面カバー部２２によって覆われている。このため、使用者はブックカバーのようにしてカバースタンド１０でタブレット型ＰＣ１２を保護した状態で持ち運ぶことができる。
【００４７】
次に、図４に示す収納姿勢にあるカバースタンド１０及びタブレット型ＰＣ１２を起立姿勢に変化させる場合には、前面カバー部２２を机の上や膝の上等に載置し、図５に示すように連接部２４及び連接カバー部３０の折り曲げ線Ａ１〜Ａ３を介して背面カバー部２０をタブレット型ＰＣ１２と共に上方へと開く。
【００４８】
この際、支持板１８の下縁部は、その底部となる保持部３６の底部３６ａよりも上方にあるオフセット位置Ｐにおいて可撓性ヒンジ４０によって基台１６と接続されている。このため、図５に示すように、タブレット型ＰＣ１２を保持した支持板１８は、可撓性ヒンジ４０を回動支点として後方へと回動され、同時にこの可撓性ヒンジ４０が接続されたオフセット位置Ｐよりも下側にある底部３６ａが底板２６上を摺接してキーボード装置２８側となる前方に移動する。この際、可撓性ヒンジ４０と底板２６との間に介在するプレート３６ｃによってキーボード装置２８を保持した基台１６が持ち上げられ、基台１６は前端側の回動軸線Ｃ１を回動支点として後側が持ち上がった前傾姿勢となる。同時に、第２折り線Ｂ２を介して背面カバー部２０が折り曲げられ、第２折り線Ｂ２よりも下側の可動部２０ｂが支持板１８から離間し始める。
【００４９】
背面カバー部２０をタブレット型ＰＣ１２と共に後方へとさらに開き動作させると、支持板１８の保持部３６の底部３６ａが底板２６上をさらに前方に移動し、キーボード装置２８がさらに前傾姿勢となる。その結果、図６に示すように、連接部２４及び連接カバー部３０が後方に移動し、前面カバー部２２と面一に並んで机の上や膝の上等に載置される底面板となる。これにより、底部３６ａが底板２６上に着地し、可撓性ヒンジ４０によって基台１６に連結された支持板１８の第２折り線Ｂ２より下側の部分と、背面カバー部２０の支持板１８から離間した第２折り線Ｂ２より下側の部分と、前面カバー部２２、連接部２４及び連接カバー部３０とが三角構造となり、タブレット型ＰＣ１２を後傾の起立姿勢に保持したスタンド姿勢となる（図６参照）。
【００５０】
この図６に示すスタンド姿勢では、タブレット型ＰＣ１２は、例えば水平から６５度程度に起き上がった角度位置で保持され、タブレット型ＰＣ１２の重量によって三角構造が安定している。なお、図４に示す収納姿勢から図６に示すスタンド姿勢に変化する間、支持板１８の底部３６ａは、例えば前方に２ｃｍ程度移動し、キーボード装置２８の後端側は上方に１ｃｍ程度持ち上がる。
【００５１】
続いて、図６に示すスタンド姿勢からタブレット型ＰＣ１２をさらに後傾の起立姿勢に姿勢変化する場合は、例えば両手の人差し指の指先を利用して第２折り線Ｂ２を山状に折り曲げると同時に第１折り線Ｂ１を谷状に折り畳む。そうすると、図７に示すように、背面カバー部２０の支持板１８から離間した第２折り線Ｂ２より下側の部分の支持板１８に対する当接位置が、図６に示す当接位置よりも上方へと移動し、今度は背面カバー部２０の支持板１８から離間した部分がやや鉛直方向に向いた略直角三角形状の三角構造となる。これにより、タブレット型ＰＣ１２を図６に示す状態よりも後傾の起立姿勢に保持したスタンド姿勢となる（図７参照）。
【００５２】
この図７に示すスタンド姿勢では、タブレット型ＰＣ１２は、例えば水平から５０度程度に起き上がった角度位置で保持される。この状態でも、タブレット型ＰＣ１２の重量によって略直角三角形状の三角構造であっても十分に安定させることができる。
【００５３】
一方、図６又は図７に示すスタンド姿勢にある状態から図４に示す収納姿勢に変化させる場合には、背面カバー部２０をタブレット型ＰＣ１２と共に手前側に倒す。これにより、再びカバー部材１４が連接部２４によって二つ折りに折り畳まれて内側にタブレット型ＰＣ１２を収納した収納姿勢となる。このように背面カバー部２０を閉じる際、図４に示すように、押圧部品３４の突出片３４ｂがその手前側にある付属部品、ここではバッテリ装置３１の後側面に当接して前方向に転倒する方向の力を受けるため、固着板３４ａが下方に引き寄せられる。その結果、連接カバー部３０の折り曲げ線Ａ３が下側に引き寄せられるため、この折り曲げ線Ａ３の付近が上方に山状に突出することが阻止され、収納姿勢での外観が向上する。
【００５４】
以上のように、本実施形態に係るカバースタンド１０は、タブレット型ＰＣ１２の背面側を覆う背面カバー部２０と、タブレット型ＰＣ１２の前面側を覆う前面カバー部２２と、背面カバー部２０と前面カバー部２２との間を折り曲げ可能に接続する連接部２４とを有したカバー部材１４を備え、背面カバー部２０と前面カバー部２２とを連接部２４を介して二つ折りに折り畳むことで内側にタブレット型ＰＣ１２を収納する収納姿勢と、前面カバー部２２からタブレット型ＰＣ１２を離間させて該タブレット型ＰＣ１２を起立姿勢に保持するスタンド姿勢とに姿勢変化可能である。ここで、カバースタンド１０は、前面カバー部２２の連接部２４側とは反対側の開放縁側に対して前縁部が折り曲げ可能に接続され、該前面カバー部２２の内側でキーボード装置２８を保持する基台１６と、背面カバー部２０の内側に設けられ、下縁部に設けられた保持部３６によってタブレット型ＰＣ１２の下縁部を保持した状態で該タブレット型ＰＣ１２の背面を支持する支持板１８と、基台１６の後縁部と支持板１８の下縁部との間を折り曲げ可能に接続する可撓性ヒンジ４０とを備える。
【００５５】
このようなカバースタンド１０では、図４に示すようにカバー部材１４が二つ折りに折り畳まれて内側にタブレット型ＰＣ１２が収納された収納姿勢からスタンド姿勢に姿勢変化させる際には、支持板１８を介してタブレット型ＰＣ１２の背面を保持した背面カバー部２０を持ち上げて開き操作する。そうすると、可撓性ヒンジ４０を介して支持板１８及びタブレット型ＰＣ１２が開き動作して、支持板１８と背面カバー部２０と前面カバー部２２及び連接部２４（及び連接カバー部３０）とによる三角構造が構築されて図１或いは図３に示すスタンド姿勢に姿勢変化する。従って、使用者はタブレット型ＰＣ１２を開き操作するだけの１操作（１アクション）で収納姿勢にあるカバースタンド１０をスタンド姿勢に容易に変化させることができる。このため、例えば収納姿勢にあるカバースタンド１０を膝の上に載せたままで容易にスタンド姿勢に変化させることができ、高い利便性が得られる。
【００５６】
この場合、可撓性ヒンジ４０は、基台１６の後縁部と、支持板１８の保持部３６の底部３６ａよりも上方にオフセットしたオフセット位置Ｐとの間を連結している。そして、図４に示す収納姿勢にある状態から可撓性ヒンジ４０を折り曲げてタブレット型ＰＣ１２をキーボード装置２８から離間する方向に起こすことにより、支持板１８の可撓性ヒンジ４０側となる部分が背面カバー部２０から離間すると共に保持部３６の底部３６ａがキーボード装置２８側へと移動し、これにより、支持板１８と、背面カバー部２０と、前面カバー部２２及び連接部２４とが三角構造となってタブレット型ＰＣ１２を起立姿勢に保持する図１或いは図３に示すスタンド姿勢に姿勢変化する。すなわち、図４に示す収納姿勢からスタンド姿勢に姿勢変化させる際にタブレット型ＰＣ１２を開き操作すると、可撓性ヒンジ４０を介してタブレット型ＰＣ１２が開き動作し、同時に可撓性ヒンジ４０の連結点となるオフセット位置Ｐよりも下側にある支持板１８の下縁部が前方に移動する。その結果、連接部２４（及び連接カバー部３０）が後方へと滑らかに移動するため、支持板１８と背面カバー部２０と前面カバー部２２及び連接部２４とによる三角構造がより確実に構築される。
【００５７】
換言すれば、当該カバースタンド１０では、タブレット型ＰＣ１２の下縁部となる保持部３６の底部３６ａを前側に移動させて、連接部２４（及び連接カバー部３０）を後方に移動させる構造としているため、前面カバー部２２の上面に前後方向のスペースを大きく確保できる。このため、キーボード装置２８として十分なキー数やキーピッチを有するものを用いることができ、さらにその手前にパームレスト２７を容易に設置できるという利点がある。
【００５８】
本実施形態の場合、支持板１８における保持部３６の底部３６ａから可撓性ヒンジ４０が連結されるオフセット位置Ｐまでの距離ｈが、基台１６及びキーボード装置２８の厚み寸法ｔよりも大きく設定されている。これにより、タブレット型ＰＣ１２の開き操作時に保持部３６の底部３６ａがキーボード装置２８側へと移動する際、前面カバー部２２（底板２６）の上面に摺接する支持板１８の下縁部によって可撓性ヒンジ４０が押し上げられ、基台１６と共にキーボード装置２８の後端側がせり上がる。その結果、スタンド姿勢でキーボード装置２８が前傾姿勢となるため、キーボード装置２８の操作性が向上する。
【００５９】
カバースタンド１０では、背面カバー部２０は、支持板１８に固着される固定部２０ａと、固定部２０ａと連接部２４との間に設けられ、支持板１８から可撓性ヒンジ４０側となる部分から離間可能な可動部２０ｂと、固定部２０ａと可動部２０ｂとの境界部分に設けられ、固定部２０ａに対する可動部２０ｂの折り曲げ線となる横方向の第１折り線Ｂ１と、可動部２０ｂに設けられ、第１折り線Ｂ１と平行する横方向の第２折り線Ｂ２とを有する。そして、第２折り線Ｂ２のみを折り曲げた状態でのスタンド姿勢から第１折り線Ｂ１を折り曲げることで、スタンド姿勢でのタブレット型ＰＣ１２の起立角度を変更可能となっている。これにより、使用者は、例えば図２及び図６に示す起立角度６５度程度のスタンド姿勢から、両手の人差し指を利用して第１折り線Ｂ１を折り曲げて可動部２０ｂの上部を折り畳むだけで、例えば図３及び図７に示す起立角度５０度程度のスタンド姿勢に変化させることができる。このため、この角度変化も１アクションで行うことができ、例えば膝の上で当該カバースタンド１０を使用している際、その使用に最適な角度位置に容易に変更でき、利便性が一層向上する。
【００６０】
なお、本発明は、上記した実施形態に限定されるものではなく、本発明の主旨を逸脱しない範囲で自由に変更できることは勿論である。
【符号の説明】
【００６１】
１０  カバースタンド
１２  タブレット型ＰＣ
１２ａ  ディスプレイ
１４  カバー部材
１６  基台
１６ａ  後方支持板
１８  支持板
２０  背面カバー部
２０ａ  固定部
２０ｂ  可動部
２２  前面カバー部
２４  連接部
２６  底板
２７  パームレスト
２８  キーボード装置
３０  連接カバー部
３１  バッテリ装置
３２  ホルダ
３４  押圧部品
３４ａ  固着板
３４ｂ  突出片
３６  保持部
３６ａ  底部
３６ｂ，３６ｃ  プレート
４０  可撓性ヒンジ
Ａ１〜Ａ３  折り曲げ線
Ｂ１  第１折り線
Ｂ２  第２折り線
Ｃ１  回動軸線
Ｐ  オフセット位置
【図１】
0006054937.tif 000002
【図２】
0006054937.tif 000003
【図３】
0006054937.tif 000004
【図４】
0006054937.tif 000005
【図５】
0006054937.tif 000006
【図６】
0006054937.tif 000007
【図７】
0006054937.tif 000008